(57)【要約】【課題】システム構築に多大なコストを要することなく、災害時における利用者の安否に関する情報を他者へ通知することができる情報配信システム、入退管理装置、情報配信方法および情報配信プログラムを提供する。【解決手段】情報配信システムは、利用者の入退管理を行う入退管理装置と、基地局装置とを備える情報配信システムであって、前記入退管理装置は、災害が発生したことを示す災害情報を受信すると、前記利用者の入室または退室を示す入退情報を送信し、前記基地局装置は、前記入退情報を受信すると、受信した前記入退情報を、前記利用者以外の者へ情報の通知が可能な通信装置へ送信する。【選択図】図１
2015032284.tif 000002
【特許請求の範囲】
【請求項１】
利用者の入退管理を行う入退管理装置と、
基地局装置とを備える情報配信システムであって、
前記入退管理装置は、災害が発生したことを示す災害情報を受信すると、前記利用者の入室または退室を示す入退情報を送信し、
前記基地局装置は、前記入退情報を受信すると、受信した前記入退情報を、前記利用者以外の者へ情報の通知が可能な通信装置へ送信する、情報配信システム。
【請求項２】
前記入退管理装置は、前記災害情報を受信しない通常時に、前記入退情報を前記基地局装置経由で前記通信装置へ送信し、前記災害情報を受信すると、前記基地局装置経由で、前記通常時と比較して多くの前記通信装置へ、または、前記通常時と異なる前記通信装置へ前記入退情報を送信する、請求項１に記載の情報配信システム。
【請求項３】
前記情報配信システムは、さらに、
前記利用者と、前記利用者の前記入退情報の送信先との対応関係を示す利用者情報を記憶する配信装置を備え、
前記入退管理装置は、前記災害情報を受信すると、前記入退情報を前記配信装置へ送信し、
前記配信装置は、前記入退情報を受信すると、前記利用者情報を用いて前記入退情報の送信先に対応する前記通信装置を特定し、前記基地局装置経由で、特定した前記通信装置へ前記入退情報を送信する、請求項１または請求項２に記載の情報配信システム。
【請求項４】
前記配信装置は、前記利用者情報として、所定エリアの居住者と、前記居住者と所定の関係にある前記居住者以外の者との対応関係を示す情報を記憶する、請求項３に記載の情報配信システム。
【請求項５】
前記情報配信システムは、互いに異なる前記利用者情報を記憶する複数の前記配信装置を備え、
前記配信装置は、自己が記憶する前記利用者情報に、前記入退管理装置から受信した前記入退情報の送信先が含まれていない場合、他の前記配信装置へ前記入退情報を送信する、請求項３または請求項４に記載の情報配信システム。
【請求項６】
前記情報配信システムは、さらに、
他の装置の位置情報を取得する第１の位置情報取得装置を備え、
前記第１の位置情報取得装置は、前記入退管理装置から送信された前記入退情報の送信先に対応する前記通信装置を示す情報を取得し、前記送信先に対応する前記通信装置の位置情報を前記利用者へ通知する、請求項１から請求項５のいずれか１項に記載の情報配信システム。
【請求項７】
前記情報配信システムは、さらに、
前記利用者の位置情報を取得する第２の位置情報取得装置を備え、
前記第２の位置情報取得装置は、前記入退管理装置から送信された前記利用者の前記入退情報が前記利用者の退室を示す場合、前記利用者の位置情報を取得して前記利用者以外の者へ通知する、請求項１から請求項６のいずれか１項に記載の情報配信システム。
【請求項８】
利用者の入退管理を行う入退管理部と、
災害が発生したことを示す災害情報を受信する受信部と、
前記受信部が前記災害情報を受信すると、前記利用者の入室または退室を示す入退情報を、前記利用者以外の者へ情報の通知が可能な通信装置へ送信する送信部とを備える、入退管理装置。
【請求項９】
利用者の入退管理を行う入退管理装置と、基地局装置とを備える情報配信システムにおける情報配信方法であって、
前記入退管理装置が、災害が発生したことを示す災害情報を受信するステップと、
前記入退管理装置が、前記災害情報を受信すると、前記利用者の入室または退室を示す入退情報を送信するステップと、
前記基地局装置が、前記入退情報を受信すると、受信した前記入退情報を、前記利用者以外の者へ情報の通知が可能な通信装置へ送信するステップとを含む、情報配信方法。
【請求項１０】
利用者の入退管理を行う入退管理装置において用いられる情報配信プログラムであって、
コンピュータに、
災害が発生したことを示す災害情報を受信するステップと、
前記災害情報を受信すると、前記利用者の入室または退室を示す入退情報を、前記利用者以外の者へ情報の通知が可能な通信装置へ送信するステップとを実行させるための、情報配信プログラム。
【発明の詳細な説明】
【技術分野】
【０００１】
本発明は、情報配信システム、入退管理装置、情報配信方法および情報配信プログラムに関し、特に、災害時において利用者が所定の場所に居るか否かを他者へ通知する情報配信システム、入退管理装置、情報配信方法および情報配信プログラムに関する。
【背景技術】
【０００２】
従来、災害が発生した場合に災害地に居る人の安否情報を家族等へ伝えるための通信システムが提案されている。たとえば、中央処理装置と、複数の基地局および複数の端末装置からなる情報通信システムであって、中央処理装置は、地域毎の災害状況を登録する被災状況データベースと、複数の基地局または複数の端末装置が位置する地区を登録した端末位置情報データベースおよび複数の端末装置の所有者が安否情報を送信する相手を設定する安否情報開示許可データベースを具える。災害発生時に中央処理装置は、被災状況データベースと端末位置情報データベースに基づいて送るべき安否情報の所有者の端末装置を選定し、選定された端末装置の該当地域の安否情報を安否情報開示許可データベースに基づいて安否情報の送信が許可されている相手に送信する情報通信システムが知られている（特許第４６３８７５６号公報（特許文献１）参照）。
【先行技術文献】
【特許文献】
【０００３】
【特許文献１】特許第４６３８７５６号公報
【非特許文献】
【０００４】
【非特許文献１】“ｓｃｈｏｏｌ  ａｓｓｉｓｔ”、[online]、[平成25年6月24日検索]、インターネット〈URL：http://www.school-assist.jp〉
【発明の概要】
【発明が解決しようとする課題】
【０００５】
しかしながら、上述した特許文献１に記載の情報通信システムでは、災害に関連する多くのデータベースを設けるなど、災害時に安否情報を送信するための専用の情報通信システムを構築する必要があり、システム構築のための多大なコストがかかるという問題があった。
【０００６】
この発明は、上述の課題を解決するためになされたもので、その目的は、システム構築に多大なコストを要することなく、災害時における利用者の安否に関する情報を他者へ通知することができる情報配信システム、入退管理装置、情報配信方法および情報配信プログラムを提供することである。
【課題を解決するための手段】
【０００７】
（１）上記課題を解決するために、この発明のある局面に係る情報配信システムは、利用者の入退管理を行う入退管理装置と、基地局装置とを備える情報配信システムであって、前記入退管理装置は、災害が発生したことを示す災害情報を受信すると、前記利用者の入室または退室を示す入退情報を送信し、前記基地局装置は、前記入退情報を受信すると、受信した前記入退情報を、前記利用者以外の者へ情報の通知が可能な通信装置へ送信する。
【０００８】
（８）上記課題を解決するために、この発明のある局面に係る入退管理装置は、利用者の入退管理を行う入退管理部と、災害が発生したことを示す災害情報を受信する受信部と、前記受信部が前記災害情報を受信すると、前記利用者の入室または退室を示す入退情報を、前記利用者以外の者へ情報の通知が可能な通信装置へ送信する送信部とを備える。
【０００９】
（９）上記課題を解決するために、この発明のある局面に係る情報配信方法は、利用者の入退管理を行う入退管理装置と、基地局装置とを備える情報配信システムにおける情報配信方法であって、前記入退管理装置が、災害が発生したことを示す災害情報を受信するステップと、前記入退管理装置が、前記災害情報を受信すると、前記利用者の入室または退室を示す入退情報を送信するステップと、前記基地局装置が、前記入退情報を受信すると、受信した前記入退情報を、前記利用者以外の者へ情報の通知が可能な通信装置へ送信するステップとを含む。
【００１０】
（１０）上記課題を解決するために、この発明のある局面に係る情報配信プログラムは、利用者の入退管理を行う入退管理装置において用いられる情報配信プログラムであって、コンピュータに、災害が発生したことを示す災害情報を受信するステップと、前記災害情報を受信すると、前記利用者の入室または退室を示す入退情報を、前記利用者以外の者へ情報の通知が可能な通信装置へ送信するステップとを実行させるためのプログラムである。
【００１１】
本発明は、このような特徴的な処理部を備える情報配信システムとして実現することができるだけでなく、かかる特徴的な処理をコンピュータに実行させるためのプログラムとして実現することができる。また、情報配信システムの一部又は全部を実現する半導体集積回路として実現することができる。
【００１２】
また、本発明は、このような特徴的な処理部を備える入退管理装置として実現することができるだけでなく、かかる特徴的な処理をステップとする情報配信方法として実現することができる。また、入退管理装置の一部又は全部を実現する半導体集積回路として実現することができる。
【発明の効果】
【００１３】
本発明によれば、システム構築に多大なコストを要することなく、災害時における利用者の安否に関する情報を他者へ通知することができる。
【図面の簡単な説明】
【００１４】
【図１】図１は、本発明の第１の実施の形態に係る情報配信システムの構成を示す図である。
【図２】図２は、本発明の第１の実施の形態に係る情報配信システムにおける入退管理装置の構成を示す図である。
【図３】図３は、図２に示す送信先記憶部に記憶されているサービス情報の具体例を示す図である。
【図４】図４は、本発明の第１の実施の形態に係る情報配信システムによる災害時の動作手順を定めたシーケンス図である。
【図５】図５は、本発明の第１の実施の形態に係る情報配信システムの変形例の構成を示す図である。
【図６】図６は、本発明の第２の実施の形態に係る情報配信システムの構成を示す図である。
【図７】図７は、図６に示す配信装置の構成を示す図である。
【図８】図８は、本発明の第２の実施の形態に係る情報配信システムによる災害時の動作手順を定めたシーケンス図である。
【図９】図９は、本発明の第３の実施の形態に係る情報配信システムの構成を示す図である。
【図１０】図１０は、本発明の第３の実施の形態に係る情報配信システムによる災害時の動作手順を定めたシーケンス図である。
【図１１】図１１は、本発明の第３の実施の形態に係る情報配信システムの変形例による災害時の動作手順を定めたシーケンス図である。
【図１２】図１２は、本発明の第４の実施の形態に係る情報配信システムの構成を示す図である。
【図１３】図１３は、本発明の第４実施の形態に係る情報配信システムによる災害時の動作手順を定めたシーケンス図である。
【図１４】図１４は、本発明の第４の実施の形態に係る情報配信システムの変形例の構成を示す図である。
【図１５】図１５は、本発明の第４実施の形態に係る情報配信システムの変形例による災害時の動作手順を定めたシーケンス図である。
【発明を実施するための形態】
【００１５】
最初に、本発明の実施形態の内容を列記して説明する。
【００１６】
（１）本発明の実施の形態に係る情報配信システムは、利用者の入退管理を行う入退管理装置と、基地局装置とを備える情報配信システムであって、前記入退管理装置は、災害が発生したことを示す災害情報を受信すると、前記利用者の入室または退室を示す入退情報を送信し、前記基地局装置は、前記入退情報を受信すると、受信した前記入退情報を、前記利用者以外の者へ情報の通知が可能な通信装置へ送信する。
【００１７】
このように、入退管理装置により取得された利用者の入退情報を、災害時の安否を確認するための情報として利用者以外の者へ通知する構成により、安否情報を送信するための専用のシステムを構築する必要がない。すなわち、システム構築に多大なコストを要することなく、災害時における利用者の安否に関する情報を利用者以外の者へ通知することができる。
【００１８】
また、利用者の入室時または退室時に取得された入退情報を、災害時における安否に関する情報として用いることにより、災害発生後に利用者の安否情報を新たに取得する必要がない。また、災害発生前に取得されている情報を送信する構成であるため、災害発生後すぐに利用者の安否に関する情報を利用者以外の者へ通知することができる。
【００１９】
（２）好ましくは、前記入退管理装置は、前記災害情報を受信しない通常時に、前記入退情報を前記基地局装置経由で前記通信装置へ送信し、前記災害情報を受信すると、前記基地局装置経由で、前記通常時と比較して多くの前記通信装置へ、または、前記通常時と異なる前記通信装置へ前記入退情報を送信する。
【００２０】
このように、通常時には、利用者の行動に関する情報が不正に用いられるなどの弊害を防ぐために送信先の制限が設けられている場合であっても、災害時には、送信先の制限を緩和して通常時よりも多くの通信装置または通常時と異なる通信装置へ入退情報を送信する構成により、所望の送信先へ利用者の安否を通知して、安否確認の遅れを防ぐことができる。
【００２１】
（３）好ましくは、前記情報配信システムは、さらに、前記利用者と、前記利用者の前記入退情報の送信先との対応関係を示す利用者情報を記憶する配信装置を備え、前記入退管理装置は、前記災害情報を受信すると、前記入退情報を前記配信装置へ送信し、前記配信装置は、前記入退情報を受信すると、前記利用者情報を用いて前記入退情報の送信先に対応する前記通信装置を特定し、前記基地局装置経由で、特定した前記通信装置へ前記入退情報を送信する。
【００２２】
このような構成により、入退管理装置が災害時における入退情報の送信先を記憶していない場合であっても、この入退管理装置により取得された入退情報を、災害時における利用者の安否に関する情報として用いて利用者以外の者へ通知することができる。
【００２３】
（４）より好ましくは、前記配信装置は、前記利用者情報として、所定エリアの居住者と、前記居住者と所定の関係にある前記居住者以外の者との対応関係を示す情報を記憶する。
【００２４】
ここで、入退情報の送信先を特定する配信装置として、自治体等の行政によって管理される住民票または戸籍謄本などに記載の情報を記憶する装置を用いることが可能である。このような場合、入退情報の送信先を記憶するための専用の装置を設ける必要がない。また、このように、行政によって管理される装置を配信装置として用いる場合、企業が配信装置を管理する場合などと比較して、多くの利用者に関する利用者情報を用いることができるため、災害時の情報配信サービスを多くの利用者に提供することができる。
【００２５】
（５）より好ましくは、前記情報配信システムは、互いに異なる前記利用者情報を記憶する複数の前記配信装置を備え、前記配信装置は、自己が記憶する前記利用者情報に、前記入退管理装置から受信した前記入退情報の送信先が含まれていない場合、他の前記配信装置へ前記入退情報を送信する。
【００２６】
このように、複数の配信装置を用いる構成により、利用者の入退情報を広範囲に通知することができる。
【００２７】
（６）好ましくは、前記情報配信システムは、さらに、他の装置の位置情報を取得する第１の位置情報取得装置を備え、前記第１の位置情報取得装置は、前記入退管理装置から送信された前記入退情報の送信先に対応する前記通信装置を示す情報を取得し、前記送信先に対応する前記通信装置の位置情報を前記利用者へ通知する。
【００２８】
このような構成により、利用者が、入退情報の送信先である利用者以外の者の居場所を知ることができるため、利用者と利用者以外の者とが相互に安否確認をすることができる。
【００２９】
（７）好ましくは、前記情報配信システムは、さらに、前記利用者の位置情報を取得する第２の位置情報取得装置を備え、前記第２の位置情報取得装置は、前記入退管理装置から送信された前記利用者の前記入退情報が前記利用者の退室を示す場合、前記利用者の位置情報を取得して前記利用者以外の者へ通知する。
【００３０】
このように、利用者が所定の場所にいないことを示す情報だけでなく、当該利用者の居場所を取得して利用者以外の者へ通知する構成により、当該利用者以外の者の不安感を和らげることができる。
【００３１】
（８）本発明の実施の形態に係る入退管理装置は、利用者の入退管理を行う入退管理部と、災害が発生したことを示す災害情報を受信する受信部と、前記受信部が前記災害情報を受信すると、前記利用者の入室または退室を示す入退情報を、前記利用者以外の者へ情報の通知が可能な通信装置へ送信する送信部とを備える。
【００３２】
このように、入退管理装置により取得された利用者の入退情報を、災害時の安否を確認するための情報として利用者以外の者へ通知する構成により、安否情報を送信するための専用のシステムを構築する必要がない。すなわち、システム構築に多大なコストを要することなく、災害時における利用者の安否に関する情報を利用者以外の者へ通知することができる。
【００３３】
また、利用者の入室時または退室時に取得された入退情報を、災害時における安否に関する情報として用いることにより、災害発生後に利用者の安否情報を新たに取得する必要がない。また、災害発生前に取得されている情報を送信する構成であるため、災害発生後すぐに利用者の安否に関する情報を利用者以外の者へ通知することができる。
【００３４】
（９）本発明の実施の形態に係る情報配信方法は、利用者の入退管理を行う入退管理装置と、基地局装置とを備える情報配信システムにおける情報配信方法であって、前記入退管理装置が、災害が発生したことを示す災害情報を受信するステップと、前記入退管理装置が、前記災害情報を受信すると、前記利用者の入室または退室を示す入退情報を送信するステップと、前記基地局装置が、前記入退情報を受信すると、受信した前記入退情報を、前記利用者以外の者へ情報の通知が可能な通信装置へ送信するステップとを含む。
【００３５】
このように、入退管理装置により取得された利用者の入退情報を、災害時の安否を確認するための情報として利用者以外の者へ通知する構成により、安否情報を送信するための専用のシステムを構築する必要がない。すなわち、システム構築に多大なコストを要することなく、災害時における利用者の安否に関する情報を利用者以外の者へ通知することができる。
【００３６】
また、利用者の入室時または退室時に取得された入退情報を、災害時における安否に関する情報として用いることにより、災害発生後に利用者の安否情報を新たに取得する必要がない。また、災害発生前に取得されている情報を送信する構成であるため、災害発生後すぐに利用者の安否に関する情報を利用者以外の者へ通知することができる。
【００３７】
（１０）本発明の実施の形態に係る情報配信プログラムは、利用者の入退管理を行う入退管理装置において用いられる情報配信プログラムであって、コンピュータに、災害が発生したことを示す災害情報を受信するステップと、前記災害情報を受信すると、前記利用者の入室または退室を示す入退情報を、前記利用者以外の者へ情報の通知が可能な通信装置へ送信するステップとを実行させるためのプログラムである。
【００３８】
このように、入退管理装置により取得された利用者の入退情報を、災害時の安否を確認するための情報として利用者以外の者へ通知する構成により、安否情報を送信するための専用のシステムを構築する必要がない。すなわち、システム構築に多大なコストを要することなく、災害時における利用者の安否に関する情報を利用者以外の者へ通知することができる。
【００３９】
また、利用者の入室時または退室時に取得された入退情報を、災害時における安否に関する情報として用いることにより、災害発生後に利用者の安否情報を新たに取得する必要がない。また、災害発生前に取得されている情報を送信する構成であるため、災害発生後すぐに利用者の安否に関する情報を利用者以外の者へ通知することができる。
【００４０】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００４１】
＜第１の実施の形態＞
［構成および基本動作］
（情報配信システムの全体構成）
図１は、本発明の第１の実施の形態に係る情報配信システムの構成を示す図である。
【００４２】
図１を参照して、情報配信システム３０１は、無線基地局装置（基地局装置）１０１と、災害通報装置１０２と、入退管理装置１０３と、無線端末装置（通信装置）２０２とを備える。
【００４３】
無線端末装置２０２は、たとえばＩＥＥＥ８０２．１１で規格化された無線ＬＡＮ方式に従って無線通信を行うことにより、無線基地局装置１０１と通信を行い、また、無線基地局装置１０１およびネットワーク１５１を介して入退管理装置１０３と通信を行うことが可能である。なお、情報配信システム３０１は、無線端末装置２０２および無線基地局装置１０１の代わりに、有線通信を行う端末装置および基地局装置を備えていても良い。
【００４４】
無線基地局装置１０１は、たとえば無線ＬＡＮのアクセスポイントであり、入退管理装置１０３とネットワーク１５１を介して接続されている。ネットワーク１５１は、たとえばＷＡＮ（Wide Area Network）またはＭＡＮ（Metropolitan Area Network）を含む。
【００４５】
入退管理装置１０３は、所定の場所に設置され、利用者の行動情報を取得することにより利用者の入室または退室の管理を行う。具体的には、入退管理装置１０３は、カードリーダなどの読取機能を有しており、学校または塾の教室入口付近等に設置されている。そして、たとえば、これら学校または塾の生徒である利用者が教室に入る際または教室から出る際に、入退管理装置１０３に自己のカードを読み取らせることにより、入退管理装置１０３は、当該カードの所有者である生徒の識別番号を行動情報として取得する。
【００４６】
また、入退管理装置１０３は、災害が発生していない通常時のモード（以下、「通常モード」と称する）において、利用者の行動情報を取得すると、取得した行動情報を用いて利用者の入室または退室を示す入退情報を作成する。
【００４７】
そして、入退管理装置１０３は、作成した入退情報を、たとえば生徒の保護者が所有する無線端末装置２０２へ、ネットワーク１５１および無線基地局装置１０１経由で送信する。これにより、生徒の保護者は、自己の無線端末装置２０２によって通知される子供の入退情報を確認して、子供が学校または塾へ到着したこと、および、子供が学校または塾から出たことを知ることができる。
【００４８】
災害通報装置１０２は、災害の発生を検知すると、災害が発生したことを示す災害情報を、ネットワーク１５１経由で入退管理装置１０３へ送信する。なお、災害通報装置１０２は、情報配信システム３０１に含まれる装置に限らず、ＥＴＷＳ（Earthquake and Tsunami Warning System）などのシステムに含まれる装置であっても良い。
【００４９】
入退管理装置１０３は、災害通報装置１０２から災害情報を受信すると、通常モードから災害時のモード（以下、「災害モード」と称する）に切り替わる。すなわち、入退管理装置１０３は、災害情報を受信すると、取得済の利用者の行動情報を用いて入退情報を作成し、作成した入退情報を、ネットワーク１５１および無線基地局装置１０１経由で利用者以外の者である他者が所有する無線端末装置２０２へ送信する。これにより、当該他者は、自己が所有する無線端末装置２０２によって通知される利用者の入退情報を確認することにより、災害時に当該利用者が所定の場所に居るか否かを知ることができる。
【００５０】
また、入退管理装置１０３は、災害モードにおける入退情報の送信先の数を、通常モードにおける入退情報の送信先の数よりも多くすることができる。たとえば、入退管理装置１０３は、通常時には、利用者である生徒の母親の無線端末装置２０２のみへ入退情報を送信し、災害時には、利用者である生徒の母親、父親および祖父母がそれぞれ所有する無線端末装置２０２へ入退情報を送信することができる。
【００５１】
なお、入退管理装置１０３は、通常モードと災害モードとでは、異なる無線端末装置２０２へ入退情報を送信する構成であっても良い。
【００５２】
（入退管理装置の構成）
図２は、本発明の第１の実施の形態に係る情報配信システムにおける入退管理装置の構成を示す図である。
【００５３】
図２を参照して、入退管理装置１０３は、入退管理部１１と、受信部１２と、メッセージ作成部１３と、送信先記憶部１４と、送信部１５とを含む。入退管理部１１は、管理部１６と、読取結果記憶部１７とを有する。
【００５４】
入退管理部１１の管理部１６は、通常モードにおいて、磁気カードまたはＩＣカードなどに格納されているカードの利用者の識別情報を取得し、取得した識別情報と、当該識別情報を取得した日時情報とを、利用者の行動情報として読取結果記憶部１７へ出力する。なお、管理部１６は、カードに限らず、利用者が所有する無線端末装置２０２と通信を行うことにより、当該利用者の識別情報を取得することも可能である。
【００５５】
また、管理部１６は、必要に応じて利用者の行動情報を出力することにより、利用者の入退管理を行う。具体的には、管理部１６は、通常モードにおいて、利用者の行動情報を新たに取得した場合、この行動情報をメッセージ作成部１３へ出力する。
【００５６】
メッセージ作成部１３は、通常モードにおいて、管理部１６から利用者の行動情報を受けると、この行動情報を用いて利用者の入室または退室を示す入退情報を作成する。
【００５７】
たとえば、メッセージ作成部１３は、利用者の行動情報に含まれる日時情報に基づいて、管理部１６により利用者の識別情報が取得された時刻が午前の時間帯である場合には、当該利用者が入室したことを示す入退情報を作成する。また、メッセージ作成部１３は、管理部１６により利用者の識別情報が取得された時刻が午後の時間帯である場合には、当該利用者が退室したことを示す入退情報を作成する。
【００５８】
なお、メッセージ作成部１３は、たとえば、１日のうちで、ある利用者の行動情報の取得が１回目である場合には、当該利用者が入室したことを示す入退情報を作成し、１日のうちで、ある利用者の入退情報の取得が２回目である場合には、当該利用者が退室したことを示す入退情報を作成することも可能である。
【００５９】
送信先記憶部１４は、入退管理装置１０３により入退管理される各利用者と、通常モードにおける各利用者の入退情報の送信先を示す情報、たとえば無線端末装置２０２のメールアドレス等とを対応づけた送信先情報を記憶する。
【００６０】
メッセージ作成部１３は、入退情報を作成すると、送信先記憶部１４に記憶されている送信先情報を参照して、作成した入退情報の送信先を特定する。そして、メッセージ作成部１３は、作成した入退情報、および、特定した送信先を示す情報を送信部１５へ出力する。
【００６１】
送信部１５は、メッセージ作成部１３から入退情報および送信先を示す情報を受けると、送信先を示す情報である無線端末装置２０２のメールアドレス等を用いて、入退情報を当該無線端末装置２０２へ送信する。
【００６２】
また、受信部１２は、災害モードにおいて、受信した災害情報をメッセージ作成部１３へ出力する。メッセージ作成部１３は、受信部１２から災害情報を受信すると、たとえば、読取結果記憶部１７に記憶されている各利用者の最新の行動情報を用いて、各利用者の入退情報を作成する。
【００６３】
ここで、送信先記憶部１４には、送信先情報だけでなく、各利用者に提供される複数種類のサービスに関する情報であるサービス情報が記憶されている。
【００６４】
図３は、図２に示す送信先記憶部に記憶されているサービス情報の具体例を示す図である。
【００６５】
図３を参照して、送信先記憶部１４に記憶されているサービス情報には、たとえば、入退管理装置１０３により入退管理される複数の利用者の識別情報が記憶されており、利用者ごとに、入退管理装置１０３により行われる複数種類のサービスが登録されている。これらのサービスの中には、災害モードにおいて利用者の入退情報を他者へ通知する安否確認サービスが含まれている。
【００６６】
また、サービス情報には、各利用者が安否確認サービスを受けることを許可しているか否かを示す有効／無効フラグと、安否確認サービスを受けることを許可している場合における入退情報の送信先を示す情報とが含まれている。
【００６７】
具体的には、送信先を示す情報として、送信先の登録数、送信先の識別情報、送信先である他者が所有する無線端末装置２０２のメールアドレス、および、当該無線端末装置２０２の電話番号などが送信先記憶部１４に記憶されている。
【００６８】
なお、上記のように、サービス情報には、各利用者が安否確認サービスを受けることを許可しているか否かを示す有効／無効フラグが含まれていることにより、安否確認サービスを望まない利用者、すなわち自己の入退情報が他者へ通知されることを望まない利用者の入退情報が他者へ通知されることを防ぐことができる。
【００６９】
再び図２を参照して、メッセージ作成部１３は、災害モードにおいて、入退情報を作成すると、図３に示すサービス情報を参照して、作成した入退情報の送信先を特定し、作成した入退情報と、特定した送信先を示す情報とを送信部１５へ出力する。なお、メッセージ作成部１３は、利用者の行動情報自体を入退情報として送信部１５へ出力しても良い。
【００７０】
送信部１５は、通常モードと同様に、災害モードにおいてメッセージ作成部１３から入退情報および送信先を示す情報を受けると、送信先を示す情報である無線端末装置２０２のメールアドレス等を用いて、入退情報を当該無線端末装置２０２へ送信する。
【００７１】
［動作］
次に、本発明の第１の実施の形態に係る情報配信システム３０１の動作について説明する。図４は、本発明の第１の実施の形態に係る情報配信システムによる災害時の動作手順を定めたシーケンス図である。
【００７２】
情報配信システム３０１における各装置は、シーケンス図の各ステップの一部または全部を含むプログラムを図示しないメモリからそれぞれ読み出して実行する。これらのプログラムは、外部からインストールすることができる。このインストールされるプログラムは、たとえば記録媒体に格納された状態で流通する。
【００７３】
図４を参照して、まず、災害通報装置１０２は、災害の発生を検知すると（ステップＳ１１）、災害情報をネットワーク１５１経由で入退管理装置１０３へ送信する（ステップＳ１２）。
【００７４】
次に、入退管理装置１０３は、災害通報装置１０２から災害情報を受信すると、サービス情報を参照して、入退管理装置１０３により入退管理される利用者ごとに、安否確認サービスを受けることを許可しているか否か、すなわち安否確認サービスの有効フラグが登録されているか否かを確認する（ステップＳ１３）。
【００７５】
そして、入退管理装置１０３は、安否確認サービスを受けることを許可していない利用者については（ステップＳ１３において「Ｎｏ」）、入退情報の作成を行うことなく動作を終了する（ステップＳ１４）。
【００７６】
一方、入退管理装置１０３は、安否確認サービスを受けることを許可している利用者については（ステップＳ１３において「Ｙｅｓ」）、当該利用者の入退情報の送信先がサービス情報に登録されているか否かを確認する（ステップＳ１５）。
【００７７】
そして、入退管理装置１０３は、当該利用者の入退情報の送信先がサービス情報に登録されていない場合（ステップＳ１５において「Ｎｏ」）、当該利用者の入退情報の作成を行うことなく動作を終了する（ステップＳ１４）。
【００７８】
一方、入退管理装置１０３は、当該利用者の入退情報の送信先がサービス情報に登録されている場合（ステップＳ１５において「Ｙｅｓ」）、当該利用者の最新の行動情報を用いて当該利用者が所定の場所に居るか否かの確認を行う（ステップＳ１６）。
【００７９】
そして、入退管理装置１０３は、たとえば、利用者の最新の行動情報に含まれる日時情報に基づいて、管理部１６により利用者の識別情報が取得された時刻が午前の時間帯である場合、当該利用者が所定の場所に居ると判断し（ステップＳ１６において「Ｙｅｓ」）、在席していることを示す在席通知用メッセージを入退情報として作成する（ステップＳ１７）。
【００８０】
一方、入退管理装置１０３は、たとえば、利用者の最新の行動情報に含まれる日時情報に基づいて、管理部１６により利用者の識別情報が取得された時刻が午後の時間帯である場合、当該利用者が所定の場所に居ないと判断し（ステップＳ１６において「Ｎｏ」）、不在であることを示す不在通知用メッセージを入退情報として作成する（ステップＳ１８）。
【００８１】
次に、入退管理装置１０３は、作成した入退情報の送信先に対応する無線端末装置２０２を特定し、特定した無線端末装置２０２へ、ステップＳ１７またはステップＳ１８において作成した入退情報を、ネットワーク１５１および無線基地局装置１０１経由で送信する（ステップＳ１９）。
【００８２】
（変形例）
上述した本発明の第１の実施の形態に係る情報配信システム３０１の入退管理装置１０３は、たとえば学校または塾に設置され、災害時に限らず通常時においても、行動情報を新たに取得した場合には入退情報を作成して他者へ通知する。しかしながら、このような形態に限定されず、入退管理装置１０３は、通常時には行動情報を新たに取得した場合であっても入退情報の作成および送信を行わない構成であっても良い。
【００８３】
図５は、本発明の第１の実施の形態に係る情報配信システムの変形例の構成を示す図である。
【００８４】
図５を参照して、入退管理装置１０３は、たとえば会社に設置され、社員の勤怠を管理する装置である。この場合、入退管理装置１０３は、通常モードでは、利用者である社員の入社時および退社時に各社員の行動情報を取得して保持するが、入退情報の作成および入退情報の送信は行わない。
【００８５】
一方、入退管理装置１０３は、災害モードでは、上述した本発明の第１の実施の形態に係る情報配信システム３０１の入退管理装置１０３と同様に、取得済の利用者の行動情報を用いて入退情報を作成し、作成した入退情報を送信先である無線端末装置２０２へ送信する。
【００８６】
ところで、上述した特許文献１に記載の情報通信システムでは、災害に関連する多くのデータベースを設けるなど、災害時に安否情報を送信するための専用の情報通信システムを構築する必要があり、システム構築のための多大なコストがかかるという問題があった。
【００８７】
これに対して、本発明の第１の実施の形態に係る情報配信システム３０１では、利用者の入退管理を行う入退管理装置１０３が、災害が発生したことを示す災害情報を受信すると、利用者の入室または退室を示す入退情報を送信する。また、無線基地局装置１０１が、入退情報を受信すると、受信した入退情報を、他者へ情報の通知が可能な無線端末装置２０２へ送信する。
【００８８】
このように、入退管理装置１０３により取得された利用者の入退情報を、災害時の安否を確認するための情報として他者へ通知する構成により、安否情報を送信するための専用のシステムを構築する必要がない。すなわち、システム構築に多大なコストを要することなく、災害時における利用者の安否に関する情報を他者へ通知することができる。
【００８９】
また、利用者の入室時または退室時に取得された入退情報を、災害時における安否に関する情報として用いることにより、災害発生後に利用者の安否情報を新たに取得する必要がない。また、災害発生前に取得されている情報を送信する構成であるため、災害発生後すぐに利用者の安否に関する情報を他者へ通知することができる。
【００９０】
また、本発明の第１の実施の形態に係る情報配信システム３０１では、入退管理装置１０３が、災害情報を受信すると、無線基地局装置１０１経由で、通常時と比較して多くの無線端末装置２０２へ、または、通常時と異なる無線端末装置２０２へ入退情報を送信する。
【００９１】
このように、通常時には、利用者の行動に関する情報が不正に用いられるなどの弊害を防ぐために送信先の制限が設けられている場合であっても、災害時には、送信先の制限を緩和して通常時よりも多くの無線端末装置２０２または通常時と異なる無線端末装置２０２へ入退情報を送信する構成により、所望の送信先へ利用者の安否を通知して、安否確認の遅れを防ぐことができる。
【００９２】
＜第２の実施の形態＞
上述した本発明の第１の実施の形態に係る情報配信システム３０１では、入退管理装置１０３が、災害モードにおいて、利用者の入退情報の送信先を特定し、特定した送信先へ入退情報を通知する。
【００９３】
これに対して、本発明の第２の実施の形態に係る情報配信システム３０２では、入退管理装置１０３は、災害モードにおいて、利用者の入退情報を、入退情報の送信先を記憶する装置へ送信し、この装置がネットワーク１５１および無線基地局装置１０１経由で入退情報を送信先へ通知する。
【００９４】
［構成および基本動作］
図６は、本発明の第２の実施の形態に係る情報配信システムの構成を示す図である。また、図７は、図６に示す配信装置の構成を示す図である。
【００９５】
図６を参照して、情報配信システム３０２は、無線基地局装置１０１と、災害通報装置１０２と、入退管理装置１０３と、配信装置１０４と、無線端末装置２０２とを備える。入退管理装置１０３は、災害通報装置１０２から災害情報を受信すると、通常モードから災害モードへ切り替わり、利用者の入退情報を作成し、作成した入退情報および当該利用者の識別情報をネットワーク１５１経由で配信装置１０４へ送信する。
【００９６】
図７を参照して、配信装置１０４は、自治体等の行政が所有し、利用者情報として、所定エリアの居住者と、当該居住者と所定の関係にある居住者以外の者との対応関係を示す情報を記憶する。具体的には、配信装置１０４は、所定エリアにおける居住者の住民票または戸籍謄本に記載の情報等を管理する装置であり、所定エリアの居住者と、当該居住者と親族関係にある者との対応関係を示す情報を記憶する。配信装置１０４は、受信部２１と、記憶部２２と、情報処理部２３と、送信部２４とを有する。
【００９７】
受信部２１は、入退管理装置１０３から送信された利用者の入退情報および当該利用者の識別情報を受信し、受信した入退情報および識別情報を情報処理部２３へ出力する。
【００９８】
記憶部２２は、利用者情報として、所定エリアにおける居住者の親族に関する情報、具体的には、所定エリアにおける居住者と、居住者の母親、父親および祖父母などの親族との対応関係を示す情報を記憶する。より詳細には、この親族に関する情報には、各親族が所有する無線端末装置２０２のメールアドレス等が含まれている。
【００９９】
情報処理部２３は、受信部２１から利用者の入退情報および当該利用者の識別情報を受けると、記憶部２２に記憶されている利用者情報を用いて、入退情報の送信先を特定する。
【０１００】
すなわち、情報処理部２３は、利用者情報の中から当該識別情報に対応する利用者を特定し、さらに、当該利用者の親族、すなわち母親、父親および祖父母などを特定する。そして、情報処理部２３は、特定した親族が所有する無線端末装置２０２を、当該利用者の入退情報の送信先として特定する。そして、情報処理部２３は、特定した無線端末装置２０２を示す情報、たとえば当該無線端末装置２０２のメールアドレスと、受信部２１から受けた入退情報とを送信部２４へ出力する。
【０１０１】
なお、利用者情報には、利用者の各親族の名称等が含まれているだけであっても良く、各親族が所有する無線端末装置２０２のメールアドレス等は含まれていなくても良い。すなわち、利用者情報には、利用者の入退情報の送信先として、利用者以外の者に関する情報が含まれていても良いし、利用者以外の者が所有する無線端末装置２０２に関する情報が含まれていても良い。
【０１０２】
このように、利用者情報に、利用者の入退情報の送信先として、利用者の各親族の名称等のみが含まれている場合、情報処理部２３は、たとえば、各親族の名称等と、各親族が所有する無線端末装置２０２のメールアドレス等とを対応づけて記憶する他の装置に対して、各親族が所有する無線端末装置２０２のメールアドレス等を問い合わせることにより、各親族が所有する無線端末装置２０２のメールアドレス等を取得することができる。
【０１０３】
送信部２４は、情報処理部２３から受けた無線端末装置２０２のメールアドレス等を用いて、情報処理部２３から受けた入退情報を、ネットワーク１５１および無線基地局装置１０１経由で当該無線端末装置２０２へ送信する。
【０１０４】
なお、配信装置１０４は、利用者情報として、親族に関する情報だけでなく、利用者と、利用者の親しい友人等との対応関係を示す情報を記憶していても良い。この場合、配信装置１０４は、利用者の入退情報を受信すると、当該利用者の親族だけでなく、たとえば当該利用者の親しい友人等が所有する無線端末装置２０２を入退情報の送信先として特定することが可能である。
【０１０５】
［動作］
次に、本発明の第２の実施の形態に係る情報配信システム３０２の動作について説明する。図８は、本発明の第２の実施の形態に係る情報配信システムによる災害時の動作手順を定めたシーケンス図である。
【０１０６】
情報配信システム３０２における各装置は、シーケンス図の各ステップの一部または全部を含むプログラムを図示しないメモリからそれぞれ読み出して実行する。これらのプログラムは、外部からインストールすることができる。このインストールされるプログラムは、たとえば記録媒体に格納された状態で流通する。
【０１０７】
図８を参照して、図８に示すステップＳ２１からステップＳ２８までの動作は、図４に示すステップＳ１１からステップＳ１８までの動作と同様であるため、ここでの詳細な説明は繰り返さない。
【０１０８】
次に、入退管理装置１０３は、ステップＳ２７またはステップＳ２８において作成した利用者の入退情報と、当該利用者の識別情報とを、ネットワーク１５１経由で配信装置１０４へ送信する（ステップＳ２９）。
【０１０９】
次に、配信装置１０４は、利用者情報を用いて、入退管理装置１０３から受信した当該利用者の識別情報に基づいて、当該利用者の親族を特定し、特定した親族が所有する無線端末装置２０２を、入退管理装置１０３から受信した入退情報の送信先として特定する（ステップＳ３０）。なお、このとき、配信装置１０４は、入退管理装置１０３から受信した利用者の入退情報および当該利用者の識別情報を、記憶部２２などに保存して、必要に応じて用いることができる。
【０１１０】
次に、配信装置１０４は、送信先として特定した無線端末装置２０２へ、当該利用者の入退情報をネットワーク１５１および無線基地局装置１０１経由で送信する（ステップＳ３１）。これにより、当該利用者の親族は、災害時において当該利用者が所定の場所に居るか否かを確認することができる。
【０１１１】
上記のように、本発明の第２の実施の形態に係る情報配信システム３０２では、配信装置１０４が、利用者と、当該利用者の入退情報の送信先との対応関係を示す利用者情報を記憶する。また、入退管理装置１０３が、災害情報を受信すると、入退情報を配信装置１０４へ送信する。そして、配信装置１０４が、入退情報を受信すると、利用者情報を用いて入退情報の送信先に対応する無線端末装置２０２を特定し、無線基地局装置１０１経由で、特定した無線端末装置２０２へ入退情報を送信する。
【０１１２】
このような構成により、入退管理装置１０３が災害時における入退情報の送信先を記憶していない場合であっても、この入退管理装置１０３により取得された入退情報を、災害時における利用者の安否に関する情報として用いて他者へ通知することができる。
【０１１３】
また、本発明の第２の実施の形態に係る情報配信システム３０２では、配信装置１０４が、利用者情報として、所定エリアの居住者と、当該居住者と所定の関係である居住者以外の者との対応関係を示す情報を記憶する。具体的には、配信装置１０４が、利用者情報として、所定エリアの居住者と、当該居住者の親族との対応関係を示す情報を管理する装置であり、上記所定エリアの居住者である利用者の入退情報を受信すると、利用者情報を用いて、利用者の親族に対応する無線端末装置２０２を入退情報の送信先の無線端末装置２０２として特定する。
【０１１４】
このような構成により、入退管理装置１０３が利用者の親族に関する情報を記憶していない場合であっても、この入退管理装置１０３により取得された入退情報を当該利用者の親族へ通知することができる。
【０１１５】
また、入退情報の送信先を特定する配信装置１０４として、自治体等の行政によって管理される住民票または戸籍謄本などに記載の情報を記憶する装置を用いる構成により、入退情報の送信先を記憶するための専用の装置を設ける必要がない。また、このように、行政によって管理される装置を配信装置１０４として用いる構成により、企業が配信装置１０４を管理する場合と比較して、多くの利用者の利用者情報を利用することができるため、災害時の情報配信サービスを多くの利用者に提供することができる。
【０１１６】
その他の構成および動作は第１の実施の形態に係る情報配信システム３０１と同様であるため、ここでは詳細な説明を繰り返さない。
【０１１７】
＜第３の実施の形態＞
上述した本発明の第２の実施の形態に係る情報配信システム３０２では、配信装置１０４が、利用者の利用者情報を記憶し、この利用者情報を用いて入退情報の送信先を特定する。
【０１１８】
これに対して、本発明の第３の実施の形態に係る情報配信システム３０３では、複数の配信装置１０４が設けられ、入退情報を受信した配信装置１０４が記憶する利用者情報に当該入退情報に対応する利用者の利用者情報が含まれていない場合、すなわち当該入退情報の送信先を示す情報が含まれていない場合、この配信装置１０４は、受信した入退情報を他の配信装置１０４へ送信する。
【０１１９】
［構成および基本動作］
図９は、本発明の第３の実施の形態に係る情報配信システムの構成を示す図である。
【０１２０】
図９を参照して、情報配信システム３０３は、無線基地局装置１０１と、災害通報装置１０２と、入退管理装置１０３と、配信装置１０４ａ，１０４ｂ，１０４ｃと、無線端末装置２０２とを備える。
【０１２１】
配信装置１０４ａ，１０４ｂ，１０４ｃは、互いに異なるエリアに設定されている。以下、配信装置１０４ａ，１０４ｂ，１０４ｃのそれぞれを、「配信装置１０４」とも称する。
【０１２２】
なお、図９に示す情報配信システム３０３は、３つの配信装置１０４を備えているが、この情報配信システム３０３は、２つの配信装置１０４、または、４つ以上の配信装置１０４を備えていても良い。
【０１２３】
配信装置１０４は、図７に示す本発明の第２の実施の形態に係る情報配信システム３０２における配信装置１０４と同様に、受信部２１と、記憶部２２と、情報処理部２３と、送信部２４とを有する。
【０１２４】
受信部２１は、入退管理装置１０３から利用者の入退情報および当該利用者の識別情報を受信すると、受信した入退情報および識別情報を情報処理部２３へ出力する。記憶部２２は、利用者情報として、自己の配信装置１０４が設置されているエリアの各居住者と、たとえば親族など各居住者と所定の関係にある者との対応関係を示す情報を記憶する。
【０１２５】
情報処理部２３は、利用者の入退情報および当該利用者の識別情報を受けると、記憶部２２に記憶されている利用者情報を参照して、当該利用者が自己の配信装置１０４が設置されているエリアの居住者か否か、すなわち当該利用者の識別情報と同一の識別情報が記憶部２２に記憶されているか否かを確認する。
【０１２６】
そして、情報処理部２３は、当該利用者の識別情報と同一の識別情報が記憶部２２に記憶されている利用者情報に含まれていない場合、当該利用者の識別情報および当該利用者の居住問合せを、送信部２４へ出力する。
【０１２７】
送信部２４は、情報処理部２３から受けた当該利用者の識別情報および当該利用者の居住問合せを、ネットワーク１５１を介してブロードキャストなどにより他の配信装置１０４へ送信する。
【０１２８】
また、利用者の識別情報および居住問合せを受信した配信装置１０４の受信部２１は、受信した当該利用者の識別情報および居住問合せを情報処理部２３へ出力する。
【０１２９】
情報処理部２３は、利用者の識別情報および居住問合せを受けると、当該利用者の識別情報と同一の識別情報が記憶部２２に記憶されている利用者情報に含まれているか否かを判断し、当該識別情報と同一の識別情報が利用者情報に含まれている場合、この利用者情報を用いて当該利用者の入退情報の送信先を特定する。
【０１３０】
すなわち、情報処理部２３は、記憶部２２に記憶されている利用者情報を用いて、当該利用者の親族を特定し、特定した親族がそれぞれ所有する無線端末装置２０２を、当該利用者の入退情報の送信先として特定する。そして、情報処理部２３は、受信部２１から受けた入退情報と、特定した無線端末装置２０２のメールアドレス等とを送信部２４へ出力する。
【０１３１】
送信部２４は、情報処理部２３から受けた無線端末装置２０２のメールアドレス等を用いて、情報処理部２３から受けた入退情報を、ネットワーク１５１および無線基地局装置１０１経由で当該無線端末装置２０２へ送信する。
【０１３２】
［動作］
次に、本発明の第３の実施の形態に係る情報配信システム３０２の動作について説明する。図１０は、本発明の第３の実施の形態に係る情報配信システムによる災害時の動作手順を定めたシーケンス図である。
【０１３３】
情報配信システム３０３における各装置は、シーケンス図の各ステップの一部または全部を含むプログラムを図示しないメモリからそれぞれ読み出して実行する。これらのプログラムは、外部からインストールすることができる。このインストールされるプログラムは、たとえば記録媒体に格納された状態で流通する。
【０１３４】
ここでは、配信装置１０４ａがＡ市内に設置され、配信装置１０４ｂがＢ市内に設置され、配信装置１０４ｃがＣ市内に設置されているとする。また、配信装置１０４ａの記憶部２２は、利用者情報としてＡ市の居住者の親族に関する情報を記憶し、配信装置１０４ｂの記憶部２２は、利用者情報としてＢ市の居住者の親族に関する情報を記憶し、配信装置１０４ｃの記憶部２２は、利用者情報としてＣ市の居住者の親族に関する情報を記憶する。
【０１３５】
図１０を参照して、図１０に示すステップＳ４１の「入退情報の作成動作」は、図８に示すステップＳ２１からステップＳ２８に示す動作と同様であるため、ここでの詳細な説明は繰り返さない。
【０１３６】
次に、たとえば、入退管理装置１０３がＡ市内の学校などに設置されているとすると、入退管理装置１０３は、ステップＳ４１において作成した利用者の入退情報および当該利用者の識別情報を、Ａ市内に設置されている配信装置１０４ａへネットワーク１５１経由で送信する（ステップＳ４２）。
【０１３７】
次に、配信装置１０４ａは、入退管理装置１０３から受信した利用者の識別情報と同一の識別情報が自己の記憶部２２に記憶されている利用者情報に含まれているか否か、すなわち当該利用者がＡ市の居住者であるか否かを判断する（ステップＳ４３）。
【０１３８】
そして、配信装置１０４ａは、当該利用者がＡ市の居住者であると判断した場合（ステップＳ４３において「Ｙｅｓ」）、記憶部２２に記憶されている利用者情報を用いて、当該利用者の親族を特定し、特定した親族が所有する無線端末装置２０２を、入退情報の送信先として特定する（ステップＳ４４）。
【０１３９】
次に、配信装置１０４ａは、送信先として特定した無線端末装置２０２へ、当該利用者の入退情報をネットワーク１５１および無線基地局装置１０１経由で送信する（ステップＳ４５）。
【０１４０】
一方、配信装置１０４ａは、当該利用者がＡ市の居住者ではないと判断した場合（ステップＳ４３において「Ｎｏ」）、当該利用者の識別情報および当該利用者の居住問合せを、ネットワーク１５１経由で配信装置１０４ｂおよび配信装置１０４ｃへそれぞれ送信する（ステップＳ４６およびステップＳ４７）。
【０１４１】
次に、配信装置１０４ｃは、当該利用者の識別情報と同一の識別情報が自己の記憶部２２に記憶されている利用者情報に含まれているか否か、すなわち当該利用者がＣ市の居住者であるか否かを判断する（ステップＳ４８）。
【０１４２】
そして、配信装置１０４ｃは、当該利用者の識別情報が自己の記憶部２２に記憶されている利用者情報に含まれていない場合、すなわち当該利用者がＣ市の居住者ではないと判断した場合（ステップＳ４８において「Ｎｏ」）、当該利用者の識別情報および当該利用者の居住問合せを破棄する（ステップＳ４９）。
【０１４３】
また、配信装置１０４ｂは、配信装置１０４ｃと同様に、配信装置１０４ａから当該利用者の識別情報および当該利用者の居住問合せを受信すると、当該利用者の識別情報と同一の識別情報が自己の記憶部２２に記憶されている利用者情報に含まれているか否か、すなわち当該利用者がＢ市の居住者であるか否かを判断する（ステップＳ５０）。
【０１４４】
そして、配信装置１０４ｂは、当該利用者がＢ市の居住者であると判断した場合（ステップＳ５０において「Ｙｅｓ」）、当該利用者がＢ市の居住者であることを示す居住通知をネットワーク１５１経由で配信装置１０４ａへ送信する（ステップＳ５１）。
【０１４５】
次に、配信装置１０４ａは、配信装置１０４ｂから居住通知を受信すると、当該利用者の入退情報をネットワーク１５１経由で配信装置１０４ｂへ送信する（ステップＳ５２）。
【０１４６】
次に、配信装置１０４ｂは、記憶部２２に記憶されている利用者情報を用いて、当該利用者の親族を特定し、特定した親族が所有する無線端末装置２０２を入退情報の送信先として特定する（ステップＳ５３）。
【０１４７】
そして、配信装置１０４ｂは、特定した無線端末装置２０２へ、当該利用者の入退情報をネットワーク１５１および無線基地局装置１０１経由で送信する（ステップＳ５４）。
【０１４８】
（変形例）
なお、配信装置１０４の記憶部２２は、自己の配信装置１０４が設置されているエリアの居住者の親族に関する情報だけでなく、他のエリアの各居住者と、当該各居住者の居住エリアとの対応関係を示すエリア情報を予め記憶していても良い。この場合、配信装置１０４は、入退管理装置１０３から受信した入退情報に対応する利用者が、自己が設置されているエリアの居住者ではない場合、居住問合せをブロードキャストなどによって送信することなく、当該利用者の居住エリアを特定し、特定した居住エリアに対応する他の配信装置１０４へ当該利用者の入退情報を送信する。
【０１４９】
図１１は、本発明の第３の実施の形態に係る情報配信システムの変形例による災害時の動作手順を定めたシーケンス図である。
【０１５０】
図１１を参照して、図１１に示すステップＳ６１およびステップＳ６２に示す動作は、図１０に示すステップＳ４１およびステップＳ４２に示す動作と同様であるため、ここでの詳細な説明は繰り返さない。
【０１５１】
次に、配信装置１０４ａは、ステップＳ４２において入退管理装置１０３から受信した利用者の識別情報と同一の識別情報が自己の記憶部２２に記憶されている利用者情報に含まれているか否か、すなわち当該利用者がＡ市の居住者であるか否かを判断する（ステップＳ６３）。
【０１５２】
そして、配信装置１０４ａは、当該利用者がＡ市の居住者ではないと判断した場合（ステップＳ６３において「Ｎｏ」）、自己の記憶部２２に記憶されている、他のエリアの居住者のエリア情報を参照して、当該利用者の居住エリアを特定する（ステップＳ６４）。ここでは、当該利用者はＢ市の居住者であるという情報が記憶部２２に記憶されているエリア情報に含まれているとする。
【０１５３】
次に、配信装置１０４ａは、当該利用者の居住エリアに対応する他の配信装置１０４、具体的にはＢ市の居住者の親族に関する情報を記憶する配信装置１０４ｂへ、当該利用者の入退情報および当該利用者の識別情報を送信する（ステップＳ６５）。
【０１５４】
次に、配信装置１０４ｂは、記憶部２２に記憶されている利用者情報を用いて、当該利用者の親族を特定し、特定した親族が所有する無線端末装置２０２を入退情報の送信先として特定する（ステップＳ６６）。
【０１５５】
そして、配信装置１０４ｂは、送信先として特定した無線端末装置２０２へ、当該利用者の入退情報をネットワーク１５１および無線基地局装置１０１経由で送信する（ステップＳ６７）。
【０１５６】
上記のように、本発明の第３の実施の形態に係る情報配信システム３０３では、複数の配信装置１０４が互いに異なる利用者情報を記憶する。また、各配信装置１０４は、自己が記憶する利用者情報に、入退管理装置１０３から受信した入退情報の送信先が含まれていない場合、他の配信装置１０４へ入退情報を送信する。
【０１５７】
このように、複数の配信装置１０４を用いる構成により、利用者の入退情報を広範囲に通知することができる。また、このような構成により、利用者の入退情報を、入退管理装置１０３が設置されているエリアとは異なるエリアの居住者へ通知することができる。
【０１５８】
その他の構成および動作は第２の実施の形態に係る情報配信システム３０２と同様であるため、ここでは詳細な説明を繰り返さない。
【０１５９】
＜第４の実施の形態＞
上述した本発明の第１から第３の実施の形態に係る情報配信システム３０１，３０２，３０３では、災害時に、入退管理装置１０３により入退管理される利用者の入退情報が、当該利用者の親族等へ通知される。
【０１６０】
これに対して、本発明の第４の実施の形態に係る情報配信システム３０４では、災害時に、利用者の入退情報が親族等へ通知されるだけでなく、さらに、利用者の親族等の位置情報が利用者へ通知される。
【０１６１】
［構成および基本動作］
図１２は、本発明の第４の実施の形態に係る情報配信システムの構成を示す図である。
【０１６２】
図１２を参照して、情報配信システム３０４は、無線基地局装置１０１と、災害通報装置１０２と、入退管理装置１０３と、配信装置１０４と、位置情報取得装置（第１の位置情報取得装置）１０５と、無線端末装置２０２とを備える。広域通信網１５１ａおよび通信事業者網１５１ｂは、図１に示すネットワーク１５１の一部または全部に相当する。
【０１６３】
配信装置１０４は、利用者の入退情報および当該利用者の識別情報を入退管理装置１０３から受信すると、当該利用者の識別情報に基づいて入退情報の送信先を特定し、特定した送信先である無線端末装置２０２へ入退情報を送信する。また、配信装置１０４は、当該送信先である無線端末装置２０２を示す識別情報と、当該送信先である無線端末装置２０２の位置情報の取得要求とを広域通信網１５１ａおよび通信事業者網１５１ｂ経由で位置情報取得装置１０５へ送信する。
【０１６４】
位置情報取得装置１０５は、通信事業者網１５１ｂに接続された無線基地局装置１０１と通信可能な複数の無線端末装置２０２の位置情報を、たとえば周期的に取得して更新し、保持する。
【０１６５】
また、位置情報取得装置１０５は、配信装置１０４から入退情報の送信先である無線端末装置２０２の識別情報と、位置情報の取得要求とを受信すると、取得済の無線端末装置２０２の位置情報の中から、受信した識別情報に対応する無線端末装置２０２の位置情報を抽出し、抽出した位置情報を通信事業者網１５１ｂおよび広域通信網１５１ａを介して配信装置１０４へ送信する。
【０１６６】
なお、位置情報取得装置１０５は、配信装置１０４から入退情報の送信先である無線端末装置２０２の識別情報を受信した後に、この識別情報に対応する無線端末装置２０２の位置情報を新たに取得して配信装置１０４へ送信しても良い。
【０１６７】
配信装置１０４は、位置情報取得装置１０５から無線端末装置２０２の位置情報を受信すると、受信した位置情報を、広域通信網１５１ａを介して入退管理装置１０３へ送信する。
【０１６８】
［動作］
次に、本発明の第４実施の形態に係る情報配信システム３０４の動作について説明する。図１３は、本発明の第４実施の形態に係る情報配信システムによる災害時の動作手順を定めたシーケンス図である。
【０１６９】
情報配信システム３０４における各装置は、シーケンス図の各ステップの一部または全部を含むプログラムを図示しないメモリからそれぞれ読み出して実行する。これらのプログラムは、外部からインストールすることができる。このインストールされるプログラムは、たとえば記録媒体に格納された状態で流通する。
【０１７０】
図１３を参照して、位置情報取得装置１０５は、通信事業者網１５１ｂに接続された無線基地局装置１０１と通信可能な複数の無線端末装置２０２の位置情報を、たとえば周期的に取得して更新する（ステップＳ７１）。
【０１７１】
次に、災害が発生すると、災害通報装置１０２から入退管理装置１０３へ災害情報が送信され、図１１に示すステップＳ６１と同様に、入退管理装置１０３が入退情報を作成する（ステップＳ７２）。
【０１７２】
次に、入退管理装置１０３は、ステップＳ７２において作成した利用者の入退情報と、当該利用者の識別情報とを、ネットワーク１５１経由で配信装置１０４へ送信する（ステップＳ７３）。
【０１７３】
次に、配信装置１０４は、自己が記憶する利用者情報を用いて、入退管理装置１０３から受信した識別情報に対応する利用者の親族を特定し、特定した親族が所有する無線端末装置２０２を、入退管理装置１０３から受信した入退情報の送信先として特定する（ステップＳ７４）。
【０１７４】
次に、配信装置１０４は、送信先として特定した無線端末装置２０２へ、当該利用者の入退情報をネットワーク１５１および無線基地局装置１０１経由で送信する（ステップＳ７５）。
【０１７５】
次に、配信装置１０４は、ステップＳ７５において利用者の入退情報を送信した無線端末装置２０２の識別情報と、当該無線端末装置２０２の位置情報の取得要求とを、広域通信網１５１ａおよび通信事業者網１５１ｂを介して位置情報取得装置１０５へ送信する（ステップＳ７６）。
【０１７６】
次に、位置情報取得装置１０５は、配信装置１０４から受信した識別情報に対応する無線端末装置２０２の位置情報を保持しているか否か確認する（ステップＳ７７）。そして、位置情報取得装置１０５は、当該無線端末装置２０２の位置情報を保持している場合（ステップＳ７７において「Ｙｅｓ」）、当該無線端末装置２０２の位置情報を示す所在通知メッセージを作成する（ステップＳ７８）。
【０１７７】
一方、位置情報取得装置１０５は、当該無線端末装置２０２の位置情報を保持していない場合（ステップＳ７７において「Ｎｏ」）、当該無線端末装置２０２の位置情報が不明であることを示す所在不明通知メッセージを作成する（ステップＳ７９）。
【０１７８】
次に、位置情報取得装置１０５は、作成した所在通知メッセージまたは所在不明通知メッセージを位置情報の取得応答として、通信事業者網１５１ｂおよび広域通信網１５１ａを介して配信装置１０４へ送信する（ステップＳ８０）。
【０１７９】
次に、配信装置１０４は、位置情報取得装置１０５から受信したメッセージが、所在通知メッセージであるか否か確認し（ステップＳ８１）、所在不明通知メッセージである場合（ステップＳ８１において「Ｎｏ」）、当該無線端末装置２０２の位置情報を送信することなく動作を終了する（ステップＳ８２）。
【０１８０】
一方、配信装置１０４は、位置情報取得装置１０５から受信したメッセージが所在通知メッセージである場合（ステップＳ８１において「Ｙｅｓ」）、当該無線端末装置２０２の位置情報を広域通信網１５１ａ経由で入退管理装置１０３へ送信する（ステップＳ８３）。
【０１８１】
そして、入退管理装置１０３は、当該無線端末装置２０２の位置情報、より具体的には利用者の親族の位置情報を、当該利用者が所有する無線端末装置などへ送信する。これにより、たとえば、利用者である子供が、母親、父親および祖父母等の居場所を知ることができる。
【０１８２】
上記のように、本発明の第４の実施の形態に係る情報配信システム３０４では、他の装置の位置情報を取得する位置情報取得装置１０５が、入退管理装置１０３から送信された入退情報の送信先に対応する無線端末装置２０２を示す情報を取得し、送信先に対応する無線端末装置２０２の位置情報を利用者へ通知する。
【０１８３】
このような構成により、利用者が、入退情報の送信先である他者の居場所を知ることができるため、利用者と他者とが相互に安否確認をすることができる。
【０１８４】
なお、上述した本発明の第４の実施の形態に係る情報配信システム３０４では、配信装置１０４が、入退情報の送信先に対応する無線端末装置２０２の位置情報の取得要求を位置情報取得装置１０５へ送信し、位置情報取得装置１０５が、当該無線端末装置２０２の位置情報を配信装置１０４へ送信する。
【０１８５】
しかしながら、このような形態に限定されず、たとえば、入退管理装置１０３が利用者の入退情報の送信先を示す情報を記憶している場合、入退管理装置１０３が、入退情報の送信先に対応する無線端末装置２０２の位置情報の取得要求を位置情報取得装置１０５へ送信し、位置情報取得装置１０５が、当該無線端末装置２０２の位置情報を入退管理装置１０３へ送信しても良い。
【０１８６】
（変形例）
図１４は、本発明の第４の実施の形態に係る情報配信システムの変形例の構成を示す図であり、図１５は、本発明の第４実施の形態に係る情報配信システムの変形例による災害時の動作手順を定めたシーケンス図である。
【０１８７】
情報配信システム３０４では、配信装置１０４は、利用者が所定の場所から退室している場合、すなわち入退管理装置１０３から送信される入退情報が利用者の不在通知用メッセージである場合、当該利用者の位置情報を他者へ通知する構成であっても良い。
【０１８８】
たとえば、図１４に示すように、入退管理装置１０３により入退管理される利用者が所定の場所から退室し、かつ、当該利用者が所有する無線端末装置２０２が通信事業者網１５１ｂに接続された無線基地局装置１０１と通信可能であるとする。また、配信装置１０４は、入退管理装置１０３により入退管理される複数の利用者がそれぞれ所有する無線端末装置２０２の識別情報を予め記憶する。このような状況である場合、情報配信システム３０４は、以下のような動作を行う。
【０１８９】
すなわち、図１５を参照して、位置情報取得装置（第２の位置情報取得装置）１０５は、無線基地局装置１０１と通信可能な複数の無線端末装置２０２の位置情報を、たとえば周期的に取得して更新する。このとき、位置情報取得装置１０５により取得される位置情報には、所定の場所から退室した上記利用者が所有する無線端末装置２０２の位置情報が含まれる（ステップＳ９１）。
【０１９０】
次に、災害が発生すると、災害通報装置１０２から入退管理装置１０３へ災害情報が送信され、入退管理装置１０３が入退情報を作成する（ステップＳ９２）。図１５に示すステップＳ９３からステップＳ９５までの動作は、図１３に示すステップＳ７３からステップＳ７５までの動作と同様であるため、ここでの詳細な説明は繰り返さない。
【０１９１】
なお、図１４に示すように、利用者が所定の場所から退室しているため、ステップＳ９２において作成される入退情報は、不在通知用メッセージである。
【０１９２】
次に、配信装置１０４は、ステップＳ９５において送信した入退情報に対応する無線端末装置２０２、すなわち所定の場所から退室した利用者が所有する無線端末装置２０２の識別情報と、当該無線端末装置２０２の位置情報の取得要求とを、広域通信網１５１ａおよび通信事業者網１５１ｂを介して位置情報取得装置１０５へ送信する（ステップＳ９６）。
【０１９３】
次に、位置情報取得装置１０５は、配信装置１０４から受信した識別情報に対応する無線端末装置２０２の位置情報を保持しているか否かを確認する（ステップＳ９７）。そして、位置情報取得装置１０５は、当該無線端末装置２０２の位置情報を保持している場合（ステップＳ９７において「Ｙｅｓ」）、当該無線端末装置２０２の位置情報を示す所在通知メッセージを作成する（ステップＳ９８）。
【０１９４】
一方、位置情報取得装置１０５は、当該無線端末装置２０２の位置情報を保持していない場合（ステップＳ９７において「Ｎｏ」）、当該無線端末装置２０２の位置情報が不明であることを示す所在不明通知メッセージを作成する（ステップＳ９９）。
【０１９５】
次に、位置情報取得装置１０５は、作成した所在通知メッセージまたは所在不明通知メッセージを位置情報の取得応答として、通信事業者網１５１ｂおよび広域通信網１５１ａを介して配信装置１０４へ送信する（ステップＳ１００）。
【０１９６】
そして、配信装置１０４は、ステップＳ１００において位置情報取得装置１０５から受信したメッセージが所在通知メッセージである場合、ステップＳ９５において利用者の入退情報を送信した送信先である無線端末装置２０２、具体的には当該利用者の親族が所有する無線端末装置２０２へ、当該利用者が所有する無線端末装置２０２の位置情報を送信する（ステップＳ１０３）。
【０１９７】
なお、図１２に示す位置情報取得装置１０５と、図１４に示す位置情報取得装置１０５とは、同一の装置であっても良いし、または、異なる装置であっても良い。
【０１９８】
上記のように、本発明の第４の実施の形態に係る情報配信システム３０４の変形例では、位置情報取得装置１０５が、利用者の位置情報を取得する。また、位置情報取得装置１０５が、入退管理装置１０３から送信された利用者の入退情報が利用者の退室を示す場合、利用者の位置情報を取得して他者へ通知する。
【０１９９】
このように、利用者が所定の場所にいないことを示す情報だけでなく、当該利用者の居場所を取得して他者へ通知する構成により、当該他者の不安感を和らげることができる。
【０２００】
その他の構成および動作は第２の実施の形態に係る情報配信システム３０２と同様であるため、ここでは詳細な説明を繰り返さない。
【０２０１】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０２０２】
以上の説明は、以下に付記する特徴を含む。
【０２０３】
［付記］
利用者の入退管理を行う入退管理装置と、基地局装置とを備える情報配信システムであって、前記入退管理装置は、災害が発生したことを示す災害情報を受信すると、前記利用者の入室または退室を示す入退情報を送信し、前記基地局装置は、前記入退情報を受信すると、受信した前記入退情報を、前記利用者以外の者へ情報の通知が可能な通信装置へ送信し、
前記入退管理装置は、前記災害情報を受信しない通常時に、前記入退情報を前記基地局装置経由で前記通信装置へ送信し、前記災害情報を受信すると、前記基地局装置経由で、前記通常時と比較して多くの前記通信装置へ、または、前記通常時と異なる前記通信装置へ前記入退情報を送信し、
前記情報配信システムは、さらに、
前記利用者と、前記利用者の前記入退情報の送信先との対応関係を示す利用者情報を記憶する配信装置を備え、
前記入退管理装置は、前記災害情報を受信すると、前記入退情報を前記配信装置へ送信し、
前記配信装置は、前記入退情報を受信すると、前記利用者情報を用いて前記入退情報の送信先に対応する前記通信装置を特定し、前記基地局装置経由で、特定した前記通信装置へ前記入退情報を送信し、
前記配信装置は、前記利用者情報として、所定エリアの居住者と、前記居住者と所定の関係にある前記居住者以外の者との対応関係を示す情報を記憶し、
前記情報配信システムは、互いに異なる前記利用者情報を記憶する複数の前記配信装置を備え、
前記配信装置は、自己が記憶する前記利用者情報に、前記入退管理装置から受信した前記入退情報の送信先が含まれていない場合、他の前記配信装置へ前記入退情報を送信し、
前記情報配信システムは、さらに、
他の装置の位置情報を取得する第１の位置情報取得装置を備え、
前記第１の位置情報取得装置は、前記入退管理装置から送信された前記入退情報の送信先に対応する前記通信装置を示す情報を取得し、前記送信先に対応する前記通信装置の位置情報を前記利用者へ通知し、
前記情報配信システムは、さらに、
前記利用者の位置情報を取得する第２の位置情報取得装置を備え、
前記第２の位置情報取得装置は、前記入退管理装置から送信された前記利用者の前記入退情報が前記利用者の退室を示す場合、前記利用者の位置情報を取得して前記利用者以外の者へ通知し、
前記通信装置は、無線端末装置または有線通信を行う装置であり、
前記基地局装置は、無線基地局装置であり、
前記配信装置は、自治体の行政が所有し、所定エリアにおける居住者の住民票または戸籍謄本に記載の情報を管理する装置であり、
前記第１の位置情報取得装置および前記第２の位置情報取得装置は、前記基地局装置と通信可能な複数の前記無線端末装置の位置情報を取得する装置である、情報配信システム。
【符号の説明】
【０２０４】
１１  入退管理部
１２  受信部
１３  メッセージ作成部
１４  送信先記憶部
１５  送信部
１６  管理部
１７  読取結果記憶部
２１  受信部
２２  記憶部
２３  情報処理部
２４  送信部
１０１  無線基地局装置（基地局装置）
１０２  災害通報装置
１０３  入退管理装置
１０４，１０４ａ，１０４ｂ，１０４ｃ  配信装置
１０５  位置情報取得装置（第１の位置情報取得装置、第２の位置情報取得装置）
１５１  ネットワーク
１５１ａ  広域通信網
１５１ｂ  通信事業者網
２０２  無線端末装置（通信装置）
３０１，３０２，３０３，３０４  情報配信システム
【図１】
2015032284.tif 000003
【図２】
2015032284.tif 000004
【図３】
2015032284.tif 000005
【図４】
2015032284.tif 000006
【図５】
2015032284.tif 000007
【図６】
2015032284.tif 000008
【図７】
2015032284.tif 000009
【図８】
2015032284.tif 000010
【図９】
2015032284.tif 000011
【図１０】
2015032284.tif 000012
【図１１】
2015032284.tif 000013
【図１２】
2015032284.tif 000014
【図１３】
2015032284.tif 000015
【図１４】
2015032284.tif 000016
【図１５】
2015032284.tif 000017